(57)【要約】      （修正有）【課題】施工性に優れ、固定精度の高い天井パネルの取り付け構造および天井パネルの取り付け方法を提供する。【解決手段】平面矩形状をなす天井パネルＣの縁部を、壁パネル２の上端部と、壁パネルの上端部に沿って水平に配置された取り付け枠Ｆに設けられた押え具Ｈとで挟着することにより、天井パネルを固定する天井パネルの取り付け方法１であって、前記天井パネルの第１の縁部Ｃ１を、取り付け枠に固着した第１の押え具Ｈ１と壁パネルの間に挿入した後、一端部が取り付け枠に回転可能に枢支され、かつ他端部が上位に位置する棹状の第２の押え具Ｈ２の該他端部を引き下げることにより、前記天井パネルの第１の縁部の両側部から直角方向にのびる一対の第２の縁部Ｃ２を、壁パネルの上端部と第２の押え具で挟持し、さらに、第２の押え具の前記他端部を取り付け枠に固着することを特徴とする天井パネルの取り付け方法。【選択図】図１
2005213983.tif 000002
【特許請求の範囲】
【請求項１】
複数枚を連続して立設することにより壁体を構成する壁パネルの上端部に沿って取り付け枠が設けられ、  前記壁パネルの上端部間に架け渡される天井パネルの縁部が、壁パネルの上端部と、前記取り付け枠に設けられた押え具との間で挟着されることを特徴とする天井パネルの取り付け構造。
【請求項２】
前記天井パネルは、平面矩形状をなし、
この天井パネルの第１の縁部は、取り付け枠に沿う第１の押え具と壁パネルの上端部とで挟着され、
前記天井パネルの第１の縁部の両端部から直角方向にのびる一対の第２の縁部は、取り付け枠に沿って長くのびた棹状の第２の押え具と壁パネルの上端部とで挟着されることを特徴とする請求項１記載の天井パネルの取り付け構造。
【請求項３】
前記第１の押え具は、その先端部に斜め上方へ向いて折れ曲ったガイド片を具えることを特徴とする請求項２記載の天井パネルの取り付け構造。
【請求項４】
天井パネルの第１の縁部に沿う取り付け枠と天井パネルの第２の縁部に沿う取り付け枠は、横断面Ｌ字状のコーナー金具を介して相互に固着されたことを特徴とする請求項２又は３記載の天井パネルの取り付け構造。
【請求項５】
平面矩形状をなす天井パネルの縁部を、壁パネルの上端部と、壁パネルの上端部に沿って水平に配置された取り付け枠に設けられた押え具とで挟着することにより、天井パネルを固定する天井パネルの取り付け方法であって、
前記天井パネルの第１の縁部を、取り付け枠に固着した第１の押え具と壁パネルの間に挿入した後、
一端部が取り付け枠に回転可能に枢支され、かつ他端部が上位に位置する棹状の第２の押え具の該他端部を引き下げることにより、前記天井パネルの第１の縁部の両側部から直角方向にのびる一対の第２の縁部を、壁パネルの上端部と第２の押え具で挟持し、
さらに、第２の押え具の前記他端部を取り付け枠に固着することを特徴とする天井パネルの取り付け方法。
【請求項６】
前記天井パネルは、２分割して形成され、
分割された一対の天井パネルを前記壁パネルの上端部に載置することにより仮設置し、
次いで、双方の天井パネルを１枚ずつ順番に、その縁部を壁パネルの上端部と取り付け枠に設けられた押え具との間で挟着することにより固定することを特徴とする請求項５記載の天井パネルの取り付け方法。
【請求項７】
前記天井パネルは、天井裏の電気配線、配管などをチェックするための開閉可能な点検口を具え、
仮設置した後は、作業者が前記点検口から前記天井パネルの固定作業を行うことを特徴とする請求項６記載の天井パネルの取り付け方法。
【発明の詳細な説明】
【技術分野】
【０００１】
本発明は、浴室、シャワールーム、トイレ、洗面所など主に水回りの小部屋において、施工性を向上し、固定精度を確保しうる天井パネルの取り付け構造、および天井パネルの取り付け方法に関する。
【背景技術】
【０００２】
浴室など水回りの小部屋は、施工の能率化、品質の確保のため、ユニット化、パネル化が図られ、このような小部屋において、壁、天井を形成するには、壁下地面に沿って連続して立設される壁パネル、この壁パネルの上端部の間に架け渡される天井パネルなど、予め工場において防水性能を有して生産されるパネルが使用される。
【０００３】
そしてこのような天井パネルを取り付けるには、従来、例えば本出願人が特許文献１で提案し、図１１に示すように、壁下地板ａに間隔を隔て複数の止め金具ｂを個々に取り付け、天井裏に引き上げた天井パネルｃを、前記止め金具ｂの斜め上を向くバネ片に沿って引きおろして壁パネルｄの上端部に載置している。そして天井パネルｃの縁部は、前記止め金具ｂにより押圧され、壁パネルｄとの間で挟着される。
【０００４】
【特許文献１】特開２０００−８６２６号公報
【発明の開示】
【発明が解決しようとする課題】
【０００５】
しかしながら、この提案では天井パネルｃ全体を水平に引き上げ、周囲の止め金具ｂを等しく変形させながら壁パネルｄ上に載置する動作を行うため、作業に熟練が要求されるものであった。また天井パネルｃは、複数の止め位置において個々に固定された止め金具ｂを用いて固定されるため、施工にバラツキがあると固定精度が充分得られないことが懸念され、更なる改善を必要とした。
【０００６】
本発明は、前記した天井パネルの取り付け構造と天井パネルの取り付け方法が有する問題点を解消し、天井パネルは、その縁部が、壁パネルの上端部と、前記取り付け枠に設けられた押え具との間で挟着されることを基本とし、施工性に優れ、固定精度の高い天井パネルの取り付け構造および天井パネルの取り付け方法の提供を課題としている。
【課題を解決するための手段】
【０００７】
前記目的を達成するために、請求項１記載の発明は、複数枚を連続して立設することにより壁体を構成する壁パネルの上端部に沿って取り付け枠が設けられ、前記壁パネルの上端部間に架け渡される天井パネルの縁部が、壁パネルの上端部と、前記取り付け枠に設けられた押え具とで挟着されることを特徴とする。
【０００８】
また請求項２記載の発明は、前記天井パネルは、平面矩形状をなし、この天井パネルの第１の縁部は、取り付け枠に沿う第１の押え具と壁パネルの上端部とで挟着され、前記天井パネルの第１の縁部の両端部から直角方向にのびる一対の第２の縁部は、取り付け枠に沿って長くのびた棹状の第２の押え具と壁パネルの上端部とで挟着されることを特徴とする請求項１記載の天井パネルの取り付け構造である。
【０００９】
また請求項３記載の発明は、前記第１の押え具は、その先端部に斜め上方へ向いて折れ曲ったガイド片を具えることを特徴とする請求項２記載の天井パネルの取り付け構造である。
【００１０】
また請求項４記載の発明は、天井パネルの第１の縁部に沿う取り付け枠と天井パネルの第２の縁部に沿う取り付け枠は、横断面Ｌ字状のコーナー金具を介して相互に固着されたことを特徴とする請求項２又は３記載の天井パネルの取り付け構造である。
【００１１】
また請求項５記載の発明は、平面矩形状をなす天井パネルの縁部を、壁パネルの上端部と、壁パネルの上端部に沿って水平に配置された取り付け枠に設けられた押え具とで挟着することにより天井パネルを固定する天井パネルの取り付け方法であって、前記天井パネルの第１の縁部を、取り付け枠に固着した第１の押え具と壁パネルの間に挿入した後、一端部が取り付け枠に回転可能に枢支され、かつ他端部が上位に位置する棹状の第２の押え具の該他端部を引き下げることにより、前記天井パネルの第１の縁部の両側部から直角方向にのびる一対の第２の縁部を、壁パネルの上端部と第２の押え具で挟持し、さらに、第２の押え具の前記他端部を取り付け枠に固着することを特徴とする。
【００１２】
また請求項６記載の発明は、前記天井パネルは、２分割して形成され、分割された一対の天井パネルを前記壁パネルの上端部に載置することにより仮設置し、次いで、双方の天井パネルを１枚ずつ順番に、その縁部を壁パネルの上端部と取り付け枠に設けられた押え具との間で挟着することにより固定することを特徴とする請求項５記載の天井パネルの取り付け方法である。
【００１３】
また請求項７記載の発明は、前記天井パネルは、天井裏の電気配線、配管などをチェックするための開閉可能な点検口を具え、仮設置した後は、作業者が前記点検口から前記天井パネルの固定作業を行うことを特徴とする請求項６記載の天井パネルの取り付け方法である。
【発明の効果】
【００１４】
本発明の天井パネルの取り付け構造は叙上の如く、天井パネルは、その縁部が、壁パネルの上端部と、その壁パネルの上端部に沿って設けられた取り付け枠の押え具とで挟着され、押え具は前記取り付け枠に設けらるため、壁パネルとの間で天井パネルの縁部を安定した強度で確実に挟持でき、天井パネルの固定精度が向上する。
【００１５】
また請求項２記載の発明のように、天井パネルの第１の縁部の両端部から直角方向にのびる一対の第２の縁部を、取り付け枠に沿って長くのびた棹状の第２の押え具と壁パネルの上端部とで挟着すると、天井パネルの第２の縁部は、第２の押え具と壁パネルの上端部とにより連続的に挟持して固定されるため、天井パネルの固定精度が一層向上する。また棹状の第２の押え具を用いるため、ピース状の止め金具に比べて押え具の固着箇所が少なくなり、施工性に優れる。
【００１６】
また請求項３記載の発明のように、第１の押え具は、その先端部に斜め上方へ向いて折れ曲ったガイド片を具える場合、天井パネルの第１の縁部をガイド片に添って取り付けでき、作業が簡単となり、固定精度も向上する。
【００１７】
また請求項４記載の発明のように、天井パネルの第１の縁部に沿う取り付け枠と天井パネルの第２の縁部に沿う取り付け枠は、横断面Ｌ字状のコーナー金具を介して相互に固着すると、取り付け枠が一体化するため、天井パネルの固定精度が高まる。
【００１８】
また本発明の天井パネルの取り付け方法では、第２の縁部は、一端部が枢支された棹状の第２の押え具の他端部を引き下げ、壁パネルの上端部との間で天井パネルを挟着するため、作業能率が非常に高く、しかも天井パネルの第２の縁部を確実に挟着できて固定精度に優れる。また天井パネルの第１、第２の縁部を分けて順次固定するため、作業が簡単となる。
【００１９】
また請求項６記載の発明のように、２分割された天井パネルを壁パネルの上端部に仮設置し、１枚ずつ順番に固定すると作業工程がスムーズに進行し、請求項７記載の発明のように、仮設置後の作業を天井パネルの点検口から行う場合、作業姿勢を安全かつ楽に維持でき、作業性が高まる。
【発明を実施するための最良の形態】
【００２０】
以下、本発明の実施の一形態を、図示例とともに説明する。本発明の天井パネルの取り付け構造１は、図１に示すように、壁パネル２の上端部に沿って設けられた取り付け枠Ｆの押え具Ｈと、壁パネル２の上端部間で、天井パネルＣの縁部を挟着している。なお本形態では、浴室における天井パネルＣの取り付け構造１を例示している。
【００２１】
前記壁パネル２は、図３、８に示すように、パネルフレーム２１の一面に面材２２を添設することにより形成される。前記パネルフレーム２１は、本形態では、前記面材２２の裏面を支持する支持片２１ａと、固定片２１ｂとが継ぎ部２１ｃを介し一体に形成された棒状体をなし、アルミニウム、ステンレススチール、プラスチックなどを用いて形成される。さらにパネルフレーム２１の中で、壁パネル２の上部に配されるパネルフレーム２１の支持片２１ａには、その上端部に天井パネルＣを支持するための受け片２１ｄが一体に形成される。そしてパネルフレーム２１は面材２２の外縁部に沿って設けられ、これに加えて面材２２の補強のため、前記外縁部の内側に縦または横に配されることもある。そして、パネルフレーム２１は、面材２２の裏面に接着、ビス固定などにより固着される。前記面材２２は、ＦＲＰ、ケイ酸カルシウム板、鋼板などが用いられる。
【００２２】
壁パネル２は、例えば４５０ｍｍなどの一定モジュール幅に形成され、図１に示すように、下端部が壁受け部（図示せず）に支持されて複数枚が隙間なく連続し、建築物本体の構造体である壁下地部２６との間に隙間を隔てて壁体Ｗを構成する。尚、図１では壁下地部２６は省略されている。そしてこの壁体Ｗで囲まれた空間は平面矩形状の小部屋を構成し、本形態では浴室が形成される。また前記壁体Ｗは、互いに平行に向合う第１の壁体Ｗ１、Ｗ１と、前記第１の壁体Ｗ１、Ｗ１の側端部間に配されて互いに平行に向合う第２の壁体Ｗ２、Ｗ２とにより構成される。
【００２３】
また隣接する壁パネル２、２の間は、スポンジ、コーキング剤など水密材が配されることによりシールされる。そして前記壁パネル２は、ドアを配した出入口２３を有するものが含まれる。
【００２４】
前記天井パネルＣは、図１に示すように、壁パネル２の上端部の間に架け渡され、本形態では、木桟を縦横矩形に枠組みして構成した外枠２４ａの内側に補強桟２４ｂを配して形成した枠組み２４の下面に面材２５を添着したフラット天井パネルＣＦと、ポリエステル樹脂などを用いてアーチドーム状に一体成形された平面矩形状のアーチ天井パネルＣＡとに２分割して形成されたものを例示している。そして、双方の天井パネルＣＦ、ＣＡは、図１に示すように、連続して配置され、全体として平面矩形状の天井を構成する。また、アーチ天井パネルＣＡは、天井裏の電気配線、配管などをチェックするため開閉可能な点検口８が形成される。他方フラット天井パネルＣＦは、空調機器用の取付口４０を有する。
【００２５】
前記取り付け枠Ｆは、図２に示すように、縦断面コ字状の枠上部３１と枠下部３２とが継ぎ片３３を介して連続した縦断面略弓字状の棒状体をなし、アルミニウム、ステンレススチール、プラスチックなどを用いて形成され、前記壁パネル２の上端部に沿って配される。そして本形態では、前記第１の壁体Ｗ１側に配置される一対の第１の取り付け枠Ｆ１と、前記第２の壁体Ｗ２側に配置される一対の第２の取り付け枠Ｆ２とを含み構成される。
【００２６】
取り付け枠Ｆは、図３、８に示すように、前記壁パネル２の上端部と壁下地部２６の間に挿入され、かつ取り付け枠Ｆの枠下部３２が前記壁パネル２のパネルフレーム２１の固定片２１ｂにビス２７により固着される。
【００２７】
また図４に示すように、前記壁体Ｗのコーナー部において隣接する第１、第２の取り付け枠Ｆ１、Ｆ２は、その端部相互が横断面Ｌ字状のコーナー金具７を介して相互に固着される。すなわち、双方の取り付け枠Ｆ１、Ｆ２の枠上部３１、枠下部３２が、横断面Ｌ字状のコーナー金具７に各々ビス２８により各々固着され、これにより第１、第２の取り付け枠Ｆ１、Ｆ２相互が連結されて一体化する。
【００２８】
さらに、図５、８に示すように、取り付け枠Ｆは、その継ぎ片３３を挿通するビス２９により、前記壁下地部２６を構成する下地桟２６ａに固着され、これによって取り付け枠Ｆは、さらに確り固定される。
【００２９】
前記押え具Ｈは、本形態では、第１の押え具Ｈ１と第２の押え具Ｈ２とを含み構成されたものを例示している。前記第１の押え具Ｈ１は、図２、７に示すように、垂直な縦片Ｈ１ａと、この縦片Ｈ１ａの下端部から水平に折れ曲る横片Ｈ１ｂとが一体に形成されて縦断面略Ｌ字状をなし、水平方向の長さが例えば１００〜３００ｍｍ程度に形成される。そして、該第１の押え具Ｈ１は、前記第１の取り付け枠Ｆ１の前面に、２個のものが間隔を隔てて配置され、前記縦片Ｈ１ａが前記第１の取り付け枠Ｆ１の枠上部３１にビス３０により固着される。
【００３０】
図８に示すように、前記フラット天井パネルＣＦの第１の壁体Ｗ１側に配された第１の縁部Ｃ１は、前記第１の押え具Ｈ１と壁パネル２の上端部とで挟着される。すなわち外枠２４ａと面材２５とを含むフラット天井パネルＣＦの第１の縁部Ｃ１は、第１の押え具Ｈ１の横片Ｈ１ｂと、壁パネル２の上端部に形成されたパネルフレーム２１の受け片２１ｄとで挟着され、これによりフラット天井パネルＣＦの第１の縁部Ｃ１が固着される。
【００３１】
フラット天井パネルＣＦの第１の縁部Ｃ１を固着する際には、図７に示すように、第１の押え具Ｈ１と壁パネル２の上端部との間隙に向け、フラット天井パネルＣＦの第１の縁部Ｃ１を挿入することにより第１の押え具Ｈ１と壁パネル２の上端部とで挟着させる。一方、第１の押え具Ｈ１には、横片Ｈ１ｂの先端部が斜め上方を向いて折れ曲ったガイド片６が設けられる。従って前記挿入時、このガイド片６が誘いとなり、フラット天井パネルＣＦの第１の縁部Ｃ１がガイド片６上を摺動して案内されるためフラット天井パネルＣＦの取り付け作業の能率が向上し、しかもフラット天井パネルＣＦの第１の縁部Ｃ１を確実に挟着させることができる。
【００３２】
また、アーチ天井パネルＣＡの第１の壁体Ｗ１側に配された第１の縁部Ｃ１は、同様にして第１の押え具Ｈ１と壁パネル２の上端部とで挟着される。
【００３３】
前記第２の押え具Ｈ２は、図１、７に示すように、縦片Ｈ２ａと、この縦片Ｈ２ａの下端部から水平に折れ曲る横片Ｈ２ｂとが一体に形成された断面略Ｌ字状で、かつ長くのびた棹状をなし、前記第２の取り付け枠Ｆ２に沿って配される。第２の押え具Ｈ２は前記天井パネルＣの第１の縁部Ｃ１の両端部から直角方向にのび、かつ前記第２の壁体Ｗ２側に配される第２の縁部Ｃ２と略同長さに形成され、例えば５００〜１５００ｍｍ程度の長さを有する。そして本形態では、前記フラット天井パネルＣＦ、アーチ天井パネルＣＡの各々の第２の縁部Ｃ２と略同長さを有する２種類の第２の押え具Ｈ２が形成される。
【００３４】
本形態では、フラット天井パネルＣＦの取り付けに用いられる第２の押え具Ｈ２は、図１に示すように、一対が向合う第２の取り付け枠Ｆ２、Ｆ２に沿って配置される。そして各々の第２の押え具Ｈ２は、図１０に示すように、少なくともその両端部において、その縦片Ｈ２ａを挿通するビス３４により、前記第２の取り付け枠Ｆ２の枠上部３１に固着される。
【００３５】
前記フラット天井パネルＣＦの第２の縁部Ｃ２は、前記第２の押え具Ｈ２と壁パネル２の上端部とで挟着される。すなわち外枠２４ａと面材２５とを含むフラット天井パネルＣＦの第２の縁部Ｃ２は、第２の押え具Ｈ２の横片Ｈ２ｂと、壁パネル２の上端部に形成されたパネルフレーム２１の受け片２１ｄとで挟持され、これによりフラット天井パネルＣＦの第２の縁部Ｃ２が固着される。このように、フラット天井パネルＣＦの第２の縁部Ｃ２は、その略全長を第２の押え具Ｈ２と壁パネル２の上端部との間で挟持さるため、略全長が連続的に固定されて天井パネルＣの固定精度が一層向上する。またピース状の止め金具に比べ、棹状の第２の押え具Ｈ２ではビスなどによる固着箇所を少なくすることができ（本形態では、両端部の２箇所）施工性に優れる。
【００３６】
フラット天井パネルＣＦの第２の縁部Ｃ２を固着する際には、図７に示すように、予め一端部をビス３４ａにより第１の取り付け枠Ｆ２に固着して第２の押え具Ｈ２を回転可能に枢支し、この第２の押え具Ｈ２の他端部を引き下げることにより、前記フラット天井パネルＣＦの第２の縁部Ｃ２を壁パネル２の上端部と第２の押え具Ｈ２とで挟持し、さらに図９に示すように、前記他端部をビス３４ｂにより第２の取り付け枠Ｆ２に固着する。
【００３７】
また、アーチ天井パネルＣＡの第２の壁体Ｗ２側に配された第２の縁部Ｃ２は、同様にして第２の押え具Ｈ２と壁パネル２の上端部とで挟着される。またフラット天井パネルＣＦとアーチ天井パネルＣＡとの連続箇所は、ビス、連結金物（図示せず）を用いて連結され、その結果双方の天井パネルＣＦ、ＣＡは一体化して浴室の天井を構成する。
【００３８】
叙上の如く、本発明の天井パネルの取り付け構造１は、押え具Ｈが、壁パネル２の上端部に沿って配された取り付け枠Ｆに設けられているため、天井パネルＣの縁部を壁パネル２の上端部との間で挟着することにより押え具Ｈに負荷が大きくかかっても、押え具Ｈ自体の姿勢が傾き、または外れることがなく、天井パネルＣを確り取り付けることができる。しかも、本形態では、第１、第２の取り付け枠Ｆ１、Ｆ２は、その端部相互がコーナー金具７に固着され、該コーナー金具７を介して連結一体化するため、前記天井パネルＣの固定精度を更に高めうる。
【００３９】
前記天井パネルの取り付け構造１を形成する天井パネルの取り付け方法を、工程順に従って説明する。まず、図２に示すように、第１の取り付け枠Ｆ１に、シールを添着して形成された目印３８の位置に、第１の押え具Ｈ１をビス３０により固着する。本形態では、図１に示すように、一対の第１の押え具Ｈ１が第１の取り付け枠Ｆ１に間隔を隔てて固着される。
【００４０】
次に、図３に示すように、第１の取り付け枠Ｆ１を、第１の壁体Ｗ１側の壁パネル２の上端部と壁下地部２６の間に上位から下方に向けてスライドさせて挿入し、ビス２７により固着する。第２の取り付け枠Ｆ２も同様に、第２の壁体Ｗ２側の壁パネル２と壁下地部２６の間に挿入し、ビス２７により固着する。
【００４１】
次に、図４に示すように、壁体のコーナー部で、端部相互が接する第１、第２の取り付け枠Ｆ１、Ｆ２の前記端部相互を、横断面Ｌ字状のコーナー金具７にビス２８により固着して、第１、第２取り付け枠Ｆ１、Ｆ２を連結する。そして、図５に示すように、継ぎ片３３を挿通するビス２９により、取り付け枠Ｆを壁下地部２６を構成する下地桟２６ａに固着する。なおこのとき、壁下地部２６との間に隙間がある場合は、合板などを挿入して調整の上ビス固定する。
【００４２】
次に、図６に示すように、天井パネルＣが２分割して形成されたフラット天井パネルＣＦと、アーチ天井パネルＣＡとを、互いの中央部分を重ね合わせ、そして両側の第２の縁部Ｃ２を壁パネル２の上端部に各々に載置し、これにより、天井パネルＣを第２壁体Ｗ２、Ｗ２に配された壁パネル２の間に架け渡して仮設置を行なう。
【００４３】
次に、図７に示すように、第２の押え具Ｈ２の第１の壁部Ｗ１側に配される一端部を、ビス３４ａにより、第２の取り付け枠Ｆ２に回転可能に枢着する。なお、このビス３４ａの固着作業は、第１の壁体Ｗ１とフラット天井パネルＣＦの間の隙間を用いて、浴室の内側から行う。しかしその後の工程においては、天井パネルＣにより遮られる天井裏においての天井パネルＣの固定作業などは、必要に応じて作業者が天井パネルＣに形成された点検口８から手又は上半身などを天井裏に挿入して作業を行う。
【００４４】
次に、前記仮設置されたフラット天井パネルＣＦを第１の取り付け枠Ｆ１に向けてスライドさせ、フラット天井パネルＣＦの第１の縁部Ｃ１を第１の押え具Ｈ１と壁パネル２の間隙に挿入する。このとき、前記第１の縁部Ｃ１の先端を、第１の押え具Ｈ１の先端に設けられたガイド片６上を摺動させながら挿入することにより、フラット天井パネルＣＦの取り付け作業を容易とし、前記第１の縁部Ｃ１を確実に挟着させることができる。なおフラット天井パネルＣＦは、その第１の縁部Ｃ１の先端が、第１の取り付け枠Ｆ１に装着されたスペーサー３９に当るまで挿入することにより正確に位置決めされる。
【００４５】
次に、図９に示すように、前記ビス３４ａを枢支点として、第２の押え具Ｈ２の上位に位置する他端部を引き下げる。これにより、図１０に示すように、外枠２４ａと面材２５とを含むフラット天井パネルＣＦの第２の縁部Ｃ２は、第２の押え具Ｈ２の横片Ｈ２ｂと、壁パネル２の上端部に形成されたパネルフレーム２１の受け片２１ｄとで挟持される。さらに、図９に示すように、第２の押え具Ｈ２の他端部をビス３４ｂにより第２の取り付け枠Ｆ２に固着する。このように、一端部の枢支点を中心として棹状の第２の押え具Ｈ２を引き下げる動作に基づき、フラット天井パネルＣＦの第２の縁部Ｃ２を挟着するため、取り付け作業が能率良く行え、さらにフラット天井パネルＣＦの第２の縁部Ｃ２を緩みなく確実に挟着できるため固定精度に優れる。しかも第１、第２の縁部Ｃ１、Ｃ２を分けて順次固定作業を行うため、位置決めなどの作業も確実に素早く行える。
【００４６】
次に、アーチ天井パネルＣＡを、同様にして第１の取り付け枠Ｆ１に向けてスライドさせ、アーチ天井パネルＣＡの第１の縁部Ｃ１を第１の押え具Ｈ１と壁パネル２の間隙に挿入する。その後、フラット天井パネルＣＦとアーチ天井パネルＣＡとの連続箇所を、ビス、連結金物（図示せず）を用いて連結することにより双方の天井パネルＣＦ、ＣＡを一体化して浴室の天井を構成する。さらに、前記と同様にしてアーチ天井パネルＣＡの第２の縁部Ｃ２を、棹状の第２の押え具Ｈ２の回転動作に基づいて、壁パネル２の上端部との間で挟着して取り付ける。このように、２分割されたフラット天井パネルＣＦとアーチ天井パネルＣＡを仮設置し、その後１枚ずつ順番に各端部を壁パネル２の上端部と取り付け枠Ｆに設けられた押え具Ｈとで挟着して固定するため、取り付け作業工程をスムーズに進行できて施工性に優れる。
【００４７】
また本形態では叙上のように、必要に応じて作業者が天井パネルＣに形成された点検口８から作業を行うため、姿勢を安全かつ楽に維持しつつ作業できて施工性を高めうる。
【００４８】
最後に、天井パネルＣと壁パネル２の接合部、双方の天井パネルＣＦ、ＣＡの接合部にシーリング剤を充填するなどして、水密処理を施して天井パネルの取り付け工程を完了する。
【図面の簡単な説明】
【００４９】
【図１】本発明の一実施の形態を例示する斜視図である。
【図２】取り付け枠および第１の押え具の斜視図である。
【図３】取り付け枠の取り付け工程を説明する斜視図である。
【図４】コーナー金具の取り付け工程を説明する斜視図である。
【図５】取り付け枠の固着工程を説明する斜視図である。
【図６】天井パネルの仮設置工程を説明する斜視図である。
【図７】フラット天井パネルの取り付け工程を説明する斜視図である。
【図８】その縦断面図である。
【図９】第２の押え具取り付け工程を説明する斜視図である。
【図１０】その縦断面図である。
【図１１】従来例の要部斜視図である。
【符号の説明】
【００５０】
１      天井パネルの取り付け構造
２      壁パネル
６      ガイド片
７      コーナー金具
８      点検口
Ｃ      天井パネル
Ｃ１    第１の縁部
Ｃ２    第２の縁部
Ｆ      取り付け枠
Ｆ１    第１の取り付け枠
Ｆ２    第２の取り付け枠
Ｈ      押え具
Ｈ１    第１の押え具
Ｈ２    第２の押え具
【図１】
2005213983.tif 000003
【図２】
2005213983.tif 000004
【図３】
2005213983.tif 000005
【図４】
2005213983.tif 000006
【図５】
2005213983.tif 000007
【図６】
2005213983.tif 000008
【図７】
2005213983.tif 000009
【図８】
2005213983.tif 000010
【図９】
2005213983.tif 000011
【図１０】
2005213983.tif 000012
【図１１】
2005213983.tif 000013